(57)【特許請求の範囲】
【請求項１】
発射口に供給された遊技球を、回動するハンマーで前記発射口に連通する発射通路に発射して遊技盤に放出するとともに、前記発射通路に連通するファウル球回収口を設けた発射装置であって、
前記発射口近傍に、発射通路と発射口とを遮蔽できるようにファウル球戻り防止弁を駆動可能に支持し、
遊技球の発射前に、前記ハンマーにクランク部材を介して前記ファウル球戻り防止弁を同期させて駆動し、発射口を開放する一方、
遊技球の発射後に元の位置に復帰した前記ファウル球戻り防止弁で発射通路と発射口と
を遮蔽することにより、発射通路から戻って来たファウル球をファウル球回収口にガイド
することを特徴とする発射装置。
【請求項２】
発射口に供給された遊技球を、回動するハンマーで前記発射口に連通する発射通路に発射して遊技盤に放出するとともに、前記発射通路に連通するファウル球回収口を設けた発射装置であって、
前記発射口近傍に、発射通路と発射口とを遮蔽できるようにファウル球戻り防止弁を駆動可能に支持し、
遊技球の発射前に、前記ハンマーの回動に同期する別体の駆動手段にクランク部材を介して前記ファウル球戻り防止弁を同期させて駆動し、発射口を開放する一方、
遊技球の発射後に元の位置に復帰した前記ファウル球戻り防止弁で発射通路と発射口と
を遮蔽することにより、発射通路から戻って来たファウル球をファウル球回収口にガイド
することを特徴とする発射装置。
【請求項３】
ファウル球戻り防止弁が、回動可能に支持されていることを特徴とする請求項１または２に記載の発射装置。
【請求項４】
ファウル球戻り防止弁が、略扇形状を有することを特徴とする請求項１ないし３のいずれか１項に記載の発射装置。
【請求項５】
ファウル球戻り防止弁が、草刈り鎌形状を有することを特徴とする請求項１ないし３のいずれか１項に記載の発射装置。
【請求項６】
ファウル球戻り防止弁が、涙滴形状を有することを特徴とする請求項１ないし３のいずれか１項に記載の発射装置。
【請求項７】
ファウル球戻り防止弁が、棒形状を有し、かつ、その長手方向に沿ってスライド移動可能に支持されていることを特徴とする請求項１または２に記載の発射装置。
【請求項８】
前記クランク部材が、ガイドピンがスライド移動するためのガイド溝を、長手方向に沿って設けたことを特徴とする請求項１および請求項３ないし６のいずれか１項に記載の発射装置。
【請求項９】
前記クランク部材が、シーソー運動でファウル球戻り防止弁を駆動することを特徴とする請求項１ないし６のいずれか１項に記載の発射装置。
【請求項１０】
請求項１ないし９のいずれか１項に記載の発射装置を備えたことを特徴とする遊技装置。
【発明の詳細な説明】
【技術分野】
【０００１】
本発明は発射装置、特に、発射口から発射された遊技球がファウル球として発射口に再び戻ることを防止でき、かつ、パチンコ遊技装置に組み込まれる発射装置に関する。
【背景技術】
【０００２】
従来、パチンコ遊技装置の発射装置としては、例えば、発射位置に供給した遊技球を発射装置が遊技領域に向けて発射するように制御するとともに、該遊技領域を経た遊技球を回収し、再び該発射位置に供給して遊技球を循環利用する封入球式遊技機に組み込まれる発射装置がある（特許文献１参照）。
【０００３】
前述の発射装置では、通常、図１９および図２０Ａに示すように、遊技球６０が発射口３２からハンマー４０で打ち出され、発射通路２２を介して遊技台１１に発射される。そして、発射された遊技球６０が発射通路２２を通過できない場合には、前記遊技球６０がファウル球として排出球回収口３４で回収される。
【先行技術文献】
【特許文献】
【０００４】
【特許文献１】特開２００９−１０１２２４号公報
【発明の概要】
【発明が解決しようとする課題】
【０００５】
しかしながら、前述の発射装置は、図２０Ｂに示すように、時として、発射された遊技球６０が発射通路２２を通過できずにファウル球として戻り、発射口３２に供給された発射直前の遊技球６０に積み重なってしまうという不具合がある。
特に、封入球式遊技装置では、ファウル球を遊技済み球としてカウント処理してはならないにもかかわらず、カウント処理してしまうので、戻って来たファウル球の球数を遊技済み球数から差し引く必要がある。このため、ファウル球を検出するための検出センサを設置する必要があるとともに、ファウル球数を遊技済み球数から差し引く処理を行うための処理プログラムを必要とする。この結果、検出センサの設置，配線が必要になり、生産コストを増大させるとともに、データ処理が複雑になり、結果として遊技球の発射サイクルが長くなってしまうという問題点がある。
本発明は、前述の問題点に鑑み、内部構造，データ処理が簡単で生産コストの低い発射装置、および、これを用いた遊技装置を提供することを課題とする。
【課題を解決するための手段】
【０００６】
本発明に係る発射装置は、前述の課題を解決すべく、発射口に供給された遊技球を、回動するハンマーで前記発射口に連通する発射通路に発射して遊技盤に放出するとともに、前記発射通路に連通するファウル球回収口を設けた発射装置であって、
前記発射口近傍に、発射通路と発射口とを遮蔽できるようにファウル球戻り防止弁を駆動可能に支持し、
遊技球の発射前に、前記ハンマーの回動に同期する別体の駆動手段にクランク部材を介して前記ファウル球戻り防止弁を同期させて駆動し、発射口を開放する一方、
遊技球の発射後に元の位置に復帰した前記ファウル球戻り防止弁で発射通路と発射口とを遮蔽することにより、発射通路から戻って来たファウル球をファウル球回収口にガイドする構成としてある。
【発明の効果】
【０００７】
本発明によれば、ファウル球戻り防止弁が遊技球の発射後に元の位置に復帰し、発射口と発射通路とを遮蔽するので、遊技球がファウル球となって戻って来ても、発射口に戻ることなく、ファウル球回収口で回収される。このため、検出センサ，その配線，処理プログラムが不要となり、生産コストの低い発射装置が得られる。
また、本発明によれば、ハンマーの駆動力を利用してファウル球戻り防止弁を駆動でき、タイミング調整が容易な発射装置が得られる。
【０００８】
他の発明としては、発射口に供給された遊技球を、回動するハンマーで前記発射口に連通する発射通路に発射して遊技盤に放出するとともに、前記発射通路に連通するファウル球回収口を設けた発射装置であって、
前記発射口近傍に、発射通路と発射口とを遮蔽できるようにファウル球戻り防止弁を駆動可能に支持し、
遊技球の発射前に、前記ハンマーの回動に同期する別体の駆動手段にクランク部材を介して前記ファウル球戻り防止弁を同期させて駆動し、発射口を開放する一方、
遊技球の発射後に元の位置に復帰した前記ファウル球戻り防止弁で発射通路と発射口とを遮蔽することにより、発射通路から戻って来たファウル球をファウル球回収口にガイドしてもよい。別体の駆動手段としては、例えば、電磁力でプランジャを駆動できるソレノイドが挙げられる。
本発明によれば、ファウル球戻り防止弁を駆動する際のタイミング調整範囲が広くなり、使いやすい発射装置が得られる。
【０００９】
本発明の実施形態としては、ファウル球戻り防止弁を回動可能に支持しておいてもよい。特に、前記ファウル球戻り防止弁は、略扇形状、草刈り鎌形状、または、涙滴形状を有していてもよい。
本実施形態によれば、必要に応じて多種多様な形状を有するファウル球戻り防止弁を回動可能に支持できるので、設計の自由度が広がる。
【００１０】
本発明の他の実施形態としては、ファウル球戻り防止弁が、棒形状を有し、かつ、その長手方向に沿ってスライド移動可能に支持されている構成としてもよい。
本実施形態によれば、回動するファウル球戻り防止弁だけに限らず、スライド移動するファウル球戻り防止弁をも選択でき、設計しやすくなる。
【００１１】
本発明の別の実施形態としては、前記クランク部材に、ガイドピンがスライド移動するためのガイド溝を、長手方向に沿って設けてもよい。
【００１２】
本発明の異なる実施形態としては、前記クランク部材が、シーソー運動でファウル球戻り防止弁を駆動してもよい。
本実施形態によれば、テコの原理を利用してファウル球戻り防止弁を駆動できるので、小さな駆動力で駆動できる発射装置が得られる。
【００１３】
本発明に係る遊技装置は、前述の課題を解決すべく、前述の発射装置を備えた遊技装置であってもよい。
本発明によれば、検出センサ，その配線，処理プログラムが不要となり、生産コストの低い遊技装置が得られるという効果がある。
【図面の簡単な説明】
【００１４】
【図１】図１Ａおよび図１Ｂは本発明に係る発射装置を組み込んだ遊技装置の第１実施形態を示す正面図および分解斜視図である
【図２】図１に示す遊技装置の内部構成を示す斜視図である。
【図３】図３Ａ，図３Ｂは図２で示した発射装置の動作前、動作途中を示す部分拡大斜視図である。
【図４】図４Ａ，図４Ｂは図３に続く動作途中を示す部分拡大斜視図である。
【図５】図５Ａ，図５Ｂは第２実施形態に係る発射装置の動作前、動作途中を示す部分拡大斜視図である。
【図６】図６Ａ，図６Ｂは図５に続く動作途中を示す部分拡大斜視図である。
【図７】図６に続く動作途中を示す部分拡大斜視図である。
【図８】図８Ａ，図８Ｂは第３実施形態に係る発射装置の動作前、動作途中を示す部分拡大斜視図である。
【図９】図９Ａ，図９Ｂは図８に続く動作途中を示す部分拡大斜視図である。
【図１０】図１０Ａ，図１０Ｂは第４実施形態に係る発射装置の動作前，動作途中を示す部分拡大斜視図である。
【図１１】図１１Ａ，図１１Ｂは図１０に続く動作途中を示す部分拡大斜視図である。
【図１２】図１２Ａ，図１２Ｂは図１１に続く動作途中を示す部分拡大斜視図である。
【図１３】図１３Ａ，図１３Ｂは第５実施形態に係る発射装置の動作前、動作途中を示す部分拡大斜視図である。
【図１４】図１４Ａ，図１４Ｂは図１３に続く動作途中を示す部分拡大斜視図である。
【図１５】図１５Ａ，図１５Ｂは図１４に続く動作途中を示す部分拡大斜視図である。
【図１６】図１６Ａ，図１６Ｂは第６実施形態に係る発射装置の動作前、動作途中を示す部分拡大斜視図である。
【図１７】図１７Ａ，図１７Ｂは図１６に続く動作途中を示す部分拡大斜視図である。
【図１８】図１８Ａ，図１８Ｂは図１７に続く動作途中を示す部分拡大斜視図である。
【図１９】従来例に係る遊技装置の内部構成を示す斜視図である。
【図２０】図２０Ａ，図２０Ｂは従来例に係る発射装置の正常動作、異常動作を説明するための部分拡大斜視図である。
【発明を実施するための形態】
【００１５】
本発明に係る発射装置を備えた遊技装置の実施形態を図１ないし図１８の添付図面に従って説明する。
第１実施形態に係る遊技装置は、図１ないし図４に示すように、封入球式遊技装置１０に適用した場合であり、遊技盤１１の表面を透明なガラス板１２で被覆するとともに、前記透明なガラス板１２の下方側には持ち球表示部１３が配置されている。さらに、前記持ち球表示部１３の下方側には操作パネル１４およびハンドル１５が配置されている。
【００１６】
一方、前記遊技盤１１の中央部には演出表示部１６を配置してあるとともに、前記演出表示部１６の下方側に遊技済み球回収口１７を配置してある。前記遊技済み球回収口１７は、図２に示すように、遊技済み球計数センサ１８を備えた遊技済み球回収通路１９を介し、後述する遊技球供給口３１に遊技球６０を供給する遊技球供給通路２０に連通している。このため、遊技済み球は遊技球供給口３１に遊技球６０として再び供給される。
なお、前記封入球式遊技装置１０には台間機２１が隣接するように設置されている。
【００１７】
また、前記操作パネル１４の後方には、図２に示すように、発射装置３０が配置されている。前記発射装置３０は、図３に示すように、遊技球供給口３１から供給された遊技球６０を仮保持する発射口３２を有し、前記発射口３２には供給された遊技球６０の個数をカウントする一対の遊技球計数センサ３３が設置されている。
【００１８】
前記発射口３２と隣り合う位置には、発射通路２２に連通するファウル球回収口３４を配置してある。前記ファウル球回収口３４は、図２に示すように、ファウル球数計数センサ３５を備えたファウル球回収通路３６を介し、前記遊技球供給通路２０に連通している。このため、ファウル球は遊技球供給口３１に遊技球６０として再び供給される。
【００１９】
前記発射装置３０には、図３に示すように、発射口３２に仮保持された遊技球６０を発射するハンマー４０が回動可能に設置されている。
【００２０】
また、前記発射装置３０には、前記発射口３２と発射通路２２とを遮蔽する略扇形状のファウル球戻り防止弁５０が回動可能に支持されている。前記ファウル球戻り防止弁５０は、その上端部に位置規制突起５１を突設してある。そして、前記位置規制突起５１は、遊技球６０が発射されたときに過剰な回動を規制するための第１ストッパ３７ａ、および、発射口３２と発射通路２２とを遮蔽するための位置規制を行う第２ストッパ３７ｂにそれぞれ係止可能な形状となっている。また、前記ファウル球戻り防止弁５０は、その片側縁部にクランク部材５５の一端部をヒンジ支持してある。そして、前記クランク部材５５の片側半分に設けたガイド溝５５ａには、前記ハンマー４０のガイドピン４１がスライド移動可能に嵌合されている。
【００２１】
次に、前述の第１実施形態に係る遊技装置の動作について説明する。
操作前は、図３Ａに示すように、遊技球供給口３１から供給された遊技球６０が発射口３２に仮保持されているとともに、ファウル球戻り防止弁５０は、その位置規制突起５１を第２ストッパ３７ｂに係止することにより、発射口３２を遮蔽している。
【００２２】
そして、図３Ｂに示すように、ハンマー４０が回動し、そのガイドピン４１がクランク部材５５のガイド溝５５ａ内をスライド移動した後、前記クランク部材５５を軸心方向に引っ張る。このため、図４Ａに示すように、前記ファウル球戻り防止弁５０が回動し、発射口３２を開放すると同時に、ハンマー４０が遊技球６０を打ち出し、遊技球６０が発射通路２２を介して遊技盤１１上に発射される。その直後に、図４Ｂに示すように、遊技球供給口３１から新しい遊技球６０が発射口３２に供給される一方、前記ハンマー４０が元の位置に復帰する。このため、ガイドピン４１がクランク部材５５を軸心方向に引っ張る力が解除され、ファウル球戻り防止弁５０は自重で発射口を遮蔽する方向に回動し始める。さらに、ハンマー４０が回動すると、ガイドピン４１がクランク部材５５のガイド溝５５ａをスライド移動した後、クランク部材５５を軸心方向に押圧する。この結果、ファウル球戻り防止弁５０が回動することにより、その位置規制突起５１が第２ストッパ３７ｂに係止し、発射口３２を遮蔽する。
【００２３】
万一、遊技球６０が発射通路２２を通過できずにファウル球となった場合には、前記ファウル球戻り防止弁５０が既に元の位置に復帰しているので、ファウル球はファウル球戻り防止弁５０に衝突した後、ファウル球回収口３４に入る。このため、ファウル球となった遊技球６０はファウル球回収通路３６を通過し、ファウル球数計数センサ３５でカウントされた後、遊技球供給通路２０を介して再び、遊技球供給口３１から発射口３２に供給される。この結果、ファウル球は遊技済み球として処理されず、遊技者の持ち球数はファウル球の発生によって減少することはない。
【００２４】
以上の説明から明らかなように、ファウル球が発生しても発射口３２に戻ることがなく、複数の遊技球を誤って発射することを未然に防止できる。
また、ファウル球数計数センサ３５によって検出されたファウル球を発射口３２に供給する前にカウントし、遊技済み球数から差し引くことにより、遊技者の持ち球数を適正に管理できるという利点がある。
【００２５】
第２実施形態に係る遊技装置は、図５ないし図７に示すように、前述の第１実施形態とほぼ同様であり、異なる点はファウル球戻り防止弁５０を草刈り鎌形状とした点である。他は前述の第１実施形態と同様であるので、同一部分には同一番号を附して説明を省略する。
本実施形態によれば、ファウル球戻り防止弁５０を草刈り鎌形状としてあるので、その全体重力が小さくなり、動作特性に優れた発射装置３０が得られるという利点がある。
【００２６】
次に、前述の第２実施形態に係る遊技装置の動作について説明する。
操作前は、図５Ａに示すように、遊技球供給口３１から供給された遊技球６０が発射口３２に仮保持されているとともに、ファウル球戻り防止弁５０は、その位置規制突起５１を第２ストッパ３７ｂに係止することにより、発射口３２を遮蔽している。
【００２７】
そして、図５Ｂに示すように、ハンマー４０が回動し、そのガイドピン４１がクランク部材５５のガイド溝５５ａ内をスライド移動した後、前記クランク部材５５を軸心方向に引っ張る。このため、前記ファウル球戻り防止弁５０が回動し、発射口３２を開放すると同時に、ハンマー４０が遊技球６０を打ち出し、遊技球６０が発射通路２２を介して遊技盤１１上に発射される（図６Ａ）。その直後に、図６Ｂに示すように、遊技球供給口３１から新しい遊技球６０が発射口３２に供給される一方、前記ハンマー４０が元の位置に復帰する。このため、ガイドピン４１がクランク部材５５を軸心方向に引っ張る力が解除され、ファウル球戻り防止弁５０は自重で発射口を遮蔽する方向に回動し始める。さらに、ハンマー４０が回動すると、ガイドピン４１がクランク部材５５のガイド溝５５ａをスライド移動した後、クランク部材５５を軸心方向に押圧する。この結果、ファウル球戻り防止弁５０が回動することにより、その位置規制突起５１が第２ストッパ３７ｂに係止し、位置規制される。
【００２８】
万一、遊技球６０が発射通路２２を通過できずにファウル球となった場合には、前記ファウル球戻り防止弁５０が既に元の位置に復帰しているので、ファウル球はファウル球戻り防止弁５０に衝突した後、ファウル球回収口３４に入る（図７）。このため、ファウル球となった遊技球６０はファウル球回収通路３６を通過し、ファウル球数計数センサ３５でカウントされた後、遊技球供給通路２０を介して再び、遊技球供給口３１から発射口３２に供給される。この結果、ファウル球は遊技済み球として処理されず、遊技者の持ち球数はファウル球の発生によって減少することはない。
【００２９】
第３実施形態に係る遊技装置は、図８および図９に示すように、前述の第１実施形態とほぼ同様であり、異なる点はファウル球戻り防止弁５０を草刈り鎌形状とするとともに、前記ファウル球戻り防止弁５０をクランク部材５５で回動させる点である。
すなわち、前記ファウル球戻り防止弁５０は、その下端部に駆動突起５２を突設してある。また、前記駆動突起５２に一端部を当接させるクランク部材５５は回動軸５５ｂを中心として回動可能に支持されているとともに、その他端側をハンマー４０の上端部４２に当接している。他は、前述の第１実施形態とほぼ同様であるので、同一部分には同一番号を附して説明を省略する。
本実施形態によれば、テコの原理で前記ファウル球戻り防止弁５０を回動できるので、小さな駆動力で駆動できる発射装置が得られるという利点がある。
【００３０】
次に、前述の第３実施形態に係る遊技装置の動作について説明する。
操作前は、図８Ａに示すように、遊技球供給口３１から供給された遊技球６０が発射口３２に仮保持されているとともに、ファウル球戻り防止弁５０は、その位置規制突起５１を第２ストッパ３７ｂに係止することにより、発射口３２を遮蔽している。
【００３１】
そして、図８Ｂに示すように、ハンマー４０が回動し、その上端部４２がクランク部材５５の一端部を押し上げると、前記クランク部材５５が回動軸５５ｂを中心として回動し、前記クランク部材５５の他端部が前記ファウル球戻り防止弁５０の駆動突起５２を押し下げる。このため、前記ファウル球戻り防止弁５０が回動し、発射口３２を開放すると同時に、ハンマー４０が遊技球６０を打ち出し、遊技球６０が発射通路２２を介して遊技盤１１上に発射される。その直後に、図９Ａに示すように、遊技球供給口３１から新しい遊技球６０が発射口３２に供給される一方、前記ハンマー４０の上端部４２がクランク部材５５に沿って復帰する。このため、ファウル球戻り防止弁５０が自重で回動し、その位置規制突起５１が第２ストッパ３７ｂに係止して位置規制され、元の位置に復帰する。また、クランク部材５５も自重で回動軸５５ｂを中心として回動し、元の位置に復帰する。
【００３２】
万一、遊技球６０が発射通路２２を通過できずにファウル球となった場合には、図９Ｂに示すように、前記ファウル球戻り防止弁５０が既に元の位置に復帰しているので、ファウル球はファウル球戻り防止弁５０に衝突した後、ファウル球回収口３４に入る。このため、ファウル球となった遊技球６０はファウル球回収通路３６を通過し、ファウル球数計数センサ３５でカウントされた後、遊技球供給通路２０を介して再び、遊技球供給口３１から発射口３２に供給される。この結果、ファウル球は遊技済み球として処理されず、遊技者の持ち球数はファウル球の発生によって減少することはない。
【００３３】
第４実施形態に係る遊技装置は、図１０ないし図１２に示すように、前述の第１実施形態とほぼ同様であり、異なる点はファウル球戻り防止弁５０をクランク部材５５を介してソレノイド５６で駆動する点である。
すなわち、前記クランク部材５５は、その一端部を略扇形状のファウル球戻り防止弁５０の片側縁部にヒンジ支持してある一方、その他端部をソレノイド５６のプランジャ５７にヒンジ支持してある。前記プランジャ５７には、それ自身を引き出す方向に付勢するコイルバネ５８を嵌合してある。
他は、前述の第１実施形態とほぼ同様であるので、同一部分には同一番号を附して説明を省略する。
【００３４】
次に、前述の第４実施形態に係る遊技装置の動作について説明する。
操作前は、図１０Ａに示すように、遊技球供給口３１から供給された遊技球６０が発射口３２に仮保持されているとともに、ファウル球戻り防止弁５０は、その位置規制突起５１を第２ストッパ３７ｂに係止することにより、発射口３２を遮蔽している。
【００３５】
そして、図１０Ｂに示すように、ソレノイド５６が駆動し、コイルバネ５８のバネ力に抗してプランジャ５７を引き込むと、クランク部材５５を介し、ファウル球戻り防止弁５０が引っ張られる。このため、前記ファウル球戻り防止弁５０は位置規制突起５１が第１ストッパ３７ａに当接するまで回動することにより、発射口３２を開放する。その後、図１１Ａに示すように、ハンマー４０が遊技球６０を打ち出し、遊技球６０が発射通路２２を介して遊技盤１１上に発射される。その直後に、図１１Ｂに示すように、遊技球供給口３１から新しい遊技球６０が発射口３２に供給される。そして、前記ソレノイド５６が駆動を停止すると、図１２Ａに示すように、コイルバネ５８のバネ力によってプランジャ５７が引き出され、クランク部材５５を押圧する。このため、ファウル球戻り防止弁５０は自重およびコイルバネ５８のバネ力で元の位置に復帰し、その位置規制突起５１が第２ストッパ３７ｂに係止し、位置規制される。
【００３６】
万一、遊技球６０が発射通路２２を通過できずにファウル球となった場合には、図１２Ｂに示すように、前述の実施形態と同様、前記ファウル球戻り防止弁５０が既に元の位置に復帰しているので、ファウル球はファウル球戻り防止弁５０に衝突した後、ファウル球回収口３４に入る。このため、ファウル球となった遊技球６０はファウル球回収通路３６を通過し、ファウル球数計数センサ３５でカウントされた後、遊技球供給通路２０を介して再び、遊技球供給口３１から発射口３２に供給される。この結果、ファウル球は遊技済み球として処理されず、遊技者の持ち球数はファウル球の発生によって減少することはない。
【００３７】
第５実施形態に係る遊技装置は、図１３ないし図１５に示すように、前述の第４実施形態と同様であり、異なる点は、ファウル球戻り防止弁５０が涙滴形状を有している点である。他は、前述の第１実施形態とほぼ同様であるので、同一部分には同一番号を附して説明を省略する。
本実施形態によれば、ファウル球戻り防止弁５０が小型、かつ、軽量であるので、動作特性の良い発射装置３０が得られるとともに、第１，第２ストッパを形成する必要がなく、構造が簡単になるという利点がある。
【００３８】
次に、前述の第５実施形態に係る遊技装置の動作について説明する。
操作前は、図１３Ａに示すように、遊技球供給口３１から供給された遊技球６０が発射口３２に仮保持されているとともに、ファウル球戻り防止弁５０は、発射口３２を遮蔽している。
【００３９】
そして、図１３Ｂに示すように、ソレノイド５６が駆動し、コイルバネ５８のバネ力に抗してプランジャ５７を引き込むと、クランク部材５５を介し、ファウル球戻り防止弁５０が引っ張られて回動し、発射口３２を開放する。その後、図１４Ａに示すように、ハンマー４０が遊技球６０を打ち出し、遊技球６０が発射通路２２を介して遊技盤１１上に発射される。その直後に、図１４Ｂに示すように、遊技球供給口３１から新しい遊技球６０が発射口３２に供給される。そして、前記ソレノイド５６が駆動を停止すると、図１５Ａに示すように、コイルバネ５８のバネ力によってプランジャ５７が引き出され、クランク部材５５を押し出すことにより、ファウル球戻り防止弁５０が元の位置に復帰する。
【００４０】
万一、遊技球６０が発射通路２２を通過できずにファウル球となった場合には、図１５Ｂに示すように、前記ファウル球戻り防止弁５０が既に元の位置に復帰しているので、ファウル球はファウル球戻り防止弁５０に衝突した後、ファウル球回収口３４に入る。このため、ファウル球となった遊技球６０はファウル球回収通路３６を通過し、ファウル球数計数センサ３５カウントされた後、遊技球供給通路２０を介して再び、遊技球供給口３１から発射口３２に供給される。この結果、ファウル球は遊技済み球として処理されず、遊技者の持ち球数はファウル球の発生によって減少することはない。
【００４１】
第６実施形態に係る遊技装置は、図１６ないし図１８に示すように、前述の第１実施形態とほぼ同様であり、異なる点は一対のガイド突起３８ａ，３８ｂの間にスライド移動可能に位置決めされたファウル球戻り防止弁５０をクランク部材５５を介してソレノイド５６で駆動する点である。
すなわち、前記クランク部材５５は回動軸５５ｂを中心として回動可能に支持されており、その一端部をソレノイド５６のプランジャ５７にヒンジ支持してある一方、その他端部を前記ファウル球戻り防止弁５０の後端部にヒンジ支持してある。また、前記ファウル球戻り防止弁５０は、その後端部にコイルバネ５８の一端部を連結してある一方、前記コイルバネ５８の他端部はガイド突起３８ｂに接続することにより、前記ファウル球戻り防止弁５０を軸心方向に付勢可能としてある。
【００４２】
次に、前述の第６実施形態に係る遊技装置の動作について説明する。
操作前は、図１６Ａに示すように、遊技球供給口３１から供給された遊技球６０が発射口３２に仮保持されているとともに、ファウル球戻り防止弁５０は発射口３２を遮蔽している。
【００４３】
そして、図１６Ｂに示すように、ソレノイド５６が駆動し、プランジャ５７が引き込まれると、コイルバネ５８のバネ力に抗してクランク部材５５が回動軸５５ｂを中心として回動する。このため、コイルバネ５８を引き延ばしながら、ファウル球戻り防止弁５０が引っ張られ、発射口３２を開放する。その後、図１７Ａに示すように、ハンマー４０が遊技球６０を打ち出し、遊技球６０が発射通路２２を介して遊技盤１１上に発射される。その直後に、図１７Ｂに示すように、遊技球供給口３１から新しい遊技球６０が発射口３２に供給される。それと同時に、前記ソレノイド５６が駆動を停止することにより、図１８Ａに示すように、コイルバネ５８のバネ力によってファウル球戻り防止弁５０が引き戻されるとともに、クランク部材５５が回動することにより、プランジャ５７が引き出され、元の位置に復帰する（図１８Ｂ）。
【００４４】
万一、遊技球６０が発射通路２２を通過できずにファウル球となった場合には、図１８Ｂに示すように、前記ファウル球戻り防止弁５０が既に元の位置に復帰しているので、ファウル球はファウル球戻り防止弁５０に衝突した後、ファウル球回収口３４に入る。このため、ファウル球となった遊技球６０はファウル球回収通路３６を通過し、ファウル球数計数センサ３５でカウントされた後、遊技球供給通路２０を介して再び、遊技球供給口３１から発射口３２に供給される。この結果、ファウル球は遊技済み球として処理されず、遊技者の持ち球数はファウル球の発生によって減少することはない。
【産業上の利用可能性】
【００４５】
本発明に係る発射装置を組み込む遊技装置は、パチンコ遊技装置に限らず、他の遊技装置にも適用できることは勿論である。
【符号の説明】
【００４６】
１０：封入球式遊技装置
１１：遊技盤
１４：操作パネル
１５：ハンドル
１７：遊技済み球回収口
１８：遊技済み球計数センサ
１９：遊技済み球回収通路
２０：遊技球供給通路
２２：発射通路
３０：発射装置
３１：遊技球供給口
３２：発射口
３３：遊技球計数センサ
３４：ファウル球回収口
３５：ファウル球数計数センサ
３６：ファウル球回収通路
３７ａ：第１ストッパ
３７ｂ：第２ストッパ
４０：ハンマー
４１：ガイドピン
４２：上端部
５０：ファウル球戻り防止弁
５１：位置規制突起
５２：駆動突起
５５：クランク部材
５５ａ：ガイド溝
５５ｂ：回動軸
５６：ソレノイド
５７：プランジャ
５８：コイルバネ
６０：遊技球
【図１】
0005874321.tif 000002
【図２】
0005874321.tif 000003
【図３】
0005874321.tif 000004
【図４】
0005874321.tif 000005
【図５】
0005874321.tif 000006
【図６】
0005874321.tif 000007
【図７】
0005874321.tif 000008
【図８】
0005874321.tif 000009
【図９】
0005874321.tif 000010
【図１０】
0005874321.tif 000011
【図１１】
0005874321.tif 000012
【図１２】
0005874321.tif 000013
【図１３】
0005874321.tif 000014
【図１４】
0005874321.tif 000015
【図１５】
0005874321.tif 000016
【図１６】
0005874321.tif 000017
【図１７】
0005874321.tif 000018
【図１８】
0005874321.tif 000019
【図１９】
0005874321.tif 000020
【図２０】
0005874321.tif 000021